(57)【要約】【課題】複数の部材の新たな作動態様を可能として、演出効果を高める。【解決手段】演出装置２０は、回動軸９２回りに回動可能な右顎ベース７４が設けられた右顎ベース支持体７８と、回動軸１０２回りに回動可能な左顎ベース７５が設けられた左顎ベース支持体７９とを備える。そして、右顎ベース支持体７８と左顎ベース支持体７９とが演出位置とされるときに、回動軸９２と回動軸１０２とが一つの直線上に位置することで仮想軸ＩＡを構成し、傾動装置９０の駆動により右顎ベース７４と左顎ベース７５とが仮想軸ＩＡ回りに回動する。【選択図】図１２
2018110779.tif 000002
【特許請求の範囲】
【請求項１】
遊技機に用いられる遊技機用演出装置であって、
第１回動軸回りに回動可能な第１演出部材が取り付けられた第１可動部材と、
第２回動軸回りに回動可能な第２演出部材が取り付けられた第２可動部材と、
前記第１可動部材と前記第２可動部材とを第１位置から第２位置に移動させる第１駆動手段と、
前記第１演出部材と前記第２演出部材とを動作させる第２駆動手段と、
を備え、
前記第１駆動手段により前記第１可動部材と前記第２可動部材とが前記第２位置とされるときに、前記第１回動軸と前記第２回動軸とが一つの直線上に位置することで仮想軸を構成し、前記第２駆動手段の駆動により前記第１演出部材と前記第２演出部材とが前記仮想軸回りに回動する
遊技機用演出装置。
【請求項２】
請求項１に記載の遊技機用演出装置であって、
前記第１演出部材と前記第２演出部材とは、一方に被係合部が設けられると共に他方に前記被係合部に係合する係合部が設けられ、前記第１駆動手段の駆動により前記第１可動部材と前記第２可動部材とが前記第２位置とされると前記係合部と前記被係合部とが係合し、当該係合により前記仮想軸回りに一体的に回動可能となる
遊技機用演出装置。
【請求項３】
請求項２に記載の遊技機用演出装置であって、
前記第２駆動手段の駆動源は、前記第１可動部材および前記第２可動部材のいずれか一方に設けられる
遊技機用演出装置。
【請求項４】
請求項２または３に記載の遊技機用演出装置であって、
前記係合部と前記被係合部とは、前記第１可動部材と前記第２可動部材とが前記第２位置にあり且つ前記第１演出部材と前記第２演出部材とが回動端に位置するときに互いに対向するものであり、
前記第１演出部材を回動方向における一の回動端側に付勢する第１付勢部材と、
前記第２演出部材を回動方向における前記一の回動端側に付勢する第２付勢部材と、
を備える遊技機用演出装置。
【請求項５】
請求項２ないし４のいずれか１項に記載の遊技機用演出装置であって、
前記第２位置は、前記第１位置に比して前記第１演出部材と前記第２演出部材とが近接する位置であり、
前記第１演出部材と前記第２演出部材とにより一つの意匠が構成される
遊技機用演出装置。
【発明の詳細な説明】
【技術分野】
【０００１】
本発明は、遊技機用演出装置に関する。
【背景技術】
【０００２】
従来、この種の遊技機用演出装置としては、複数の部材を待避位置から進出させ、それらの複数の部材を組み合わせて一の装飾体を形成するものが提案されている（例えば、特許文献１参照）。この遊技機用演出装置では、複数の部材として、キャラクタの顔部分の左頬から鼻の左半分を形成する左部材と、右頬から鼻の右半分を形成する右部材と、両目から額の部位を形成する上部材と、口から顎の部位を形成する下部材とを備え、各部材を組み合わせることで、一の装飾体としてキャラクタの顔部分を形成する。また、下部材を繰り返し上下動させることで、キャラクタの口を開閉させるものとしている。
【先行技術文献】
【特許文献】
【０００３】
【特許文献１】特開２０１５−８８２４号公報
【発明の概要】
【発明が解決しようとする課題】
【０００４】
上述した遊技機用演出装置では、複数の部材を組み合わせた装飾体の動作として、単に下部材を上下動させるだけであるため、動作が単調となり易く、なお改善の余地がある。
【０００５】
本発明の遊技機用演出装置は、複数の部材の新たな作動態様を可能として、演出効果を高めることを主目的とする。
【課題を解決するための手段】
【０００６】
本発明の遊技機用演出装置は、上述の主目的を達成するために以下の手段を採った。
【０００７】
本発明の遊技機用演出装置は、
遊技機に用いられる遊技機用演出装置であって、
第１回動軸回りに回動可能な第１演出部材が取り付けられた第１可動部材と、
第２回動軸回りに回動可能な第２演出部材が取り付けられた第２可動部材と、
前記第１可動部材と前記第２可動部材とを第１位置から第２位置に移動させる第１駆動手段と、
前記第１演出部材と前記第２演出部材とを動作させる第２駆動手段と、
を備え、
前記第１駆動手段により前記第１可動部材と前記第２可動部材とが前記第２位置とされるときに、前記第１回動軸と前記第２回動軸とが一つの直線上に位置することで仮想軸を構成し、前記第２駆動手段の駆動により前記第１演出部材と前記第２演出部材とが前記仮想軸回りに回動する
ことを要旨とする。
【０００８】
本発明の遊技機用演出装置は、第１回動軸回りに回動可能な第１演出部材が設けられた第１可動部材と、第２回動軸回りに回動可能な第２演出部材が設けられた第２可動部材とを備える。そして、第１駆動手段の駆動により第１可動部材と第２可動部材とが第２位置とされるときに、第１回動軸と第２回動軸とが一つの直線上に位置することで仮想軸を構成し、第２駆動手段の駆動により第１演出部材と第２演出部材とが仮想軸回りに回動する。これにより、第１可動部材と第２可動部材とを第２位置としたときに、第１演出部材と第２演出部材とを一の仮想軸回りに回動させることができるから、複数の部材の新たな作動態様を可能として演出効果を高めることができる。
【０００９】
本発明の遊技機用演出装置において、前記第１演出部材と前記第２演出部材とは、一方に被係合部が設けられると共に他方に前記被係合部に係合する係合部が設けられ、前記第１駆動手段の駆動により前記第１可動部材と前記第２可動部材とが前記第２位置とされると前記係合部と前記被係合部とが係合し、当該係合により前記仮想軸回りに一体的に回動可能となるものとすることもできる。こうすれば、簡易な構成で第１演出部材と第２演出部材とを一体的に回動させることができる。
【００１０】
本発明の遊技機用演出装置において、前記第２駆動手段の駆動源は、前記第１可動部材および前記第２可動部材のいずれか一方に設けられるものとすることもできる。こうすれば、第１可動部材および第２可動部材の両方に第２駆動手段の駆動源を設けるものに比して、簡易な構成で第１演出部材と第２演出部材とを一体的に回動させることができる。
【００１１】
本発明の遊技機用演出装置において、前記係合部と前記被係合部とは、前記第１可動部材と前記第２可動部材とが前記第２位置にあり且つ前記第１演出部材と前記第２演出部材とが回動端に位置するときに互いに対向するものであり、前記第１演出部材を回動方向における一の回動端側に付勢する第１付勢部材と、前記第２演出部材を回動方向における前記一の回動端側に付勢する第２付勢部材と、を備えるものとすることもできる。こうすれば、第１演出部材と第２演出部材とがいずれも一の回動端側に付勢されている状態で係合部と被係合部とを確実に係合させることができる。
【００１２】
本発明の遊技機用演出装置において、前記第２位置は、前記第１位置に比して前記第１演出部材と前記第２演出部材とが近接する位置であり、前記第１演出部材と前記第２演出部材とにより一つの意匠が構成されるものとすることもできる。こうすれば、第１演出部材と第２演出部材とが一体的に回動することによる演出効果をより高めることができる。
【発明の効果】
【００１３】
本発明の遊技機用演出装置によれば、複数の部材の新たな作動態様を可能として、演出効果を高めることができる。
【図面の簡単な説明】
【００１４】
【図１】演出装置２０を備える遊技機１の構成図である。
【図２】演出装置２０の構成図である。
【図３】顔面部作動装置３０と第１下顎部作動装置６０の構成図である。
【図４】顔面部作動装置３０と第１下顎部作動装置６０の構成図である。
【図５】顔面部作動装置３０のベース３２と傾動装置５０の斜視図である。
【図６】顔面部作動装置３０のベース３２と傾動装置５０の斜視図である。
【図７】第２下顎部作動装置７０の構成図である。
【図８】第２下顎部作動装置７０の構成図である。
【図９】第２下顎部作動装置７０の構成図である。
【図１０】右顎ベース７４と右顎ベース支持体７８の構成図である。
【図１１】左顎ベース７５と左顎ベース支持体７９の構成図である。
【図１２】第２下顎部作動装置７０の斜視図である。
【図１３】顔面部材３１の説明図である。
【図１４】第１下顎部材６１の説明図である。
【図１５】第２下顎部材７１の説明図である。
【図１６】たてがみ部材１１１の説明図である。
【図１７】演出装置２０の動作の説明図である。
【図１８】演出装置２０の動作の説明図である。
【図１９】演出装置２０の動作の説明図である。
【発明を実施するための形態】
【００１５】
次に、本発明を実施するための形態について説明する。
【００１６】
図１は演出装置２０を備える遊技機１の構成図であり、図２は演出装置２０の構成図であり、図３，図４は顔面部作動装置３０と第１下顎部作動装置６０の構成図であり、図５，図６は顔面部作動装置３０のベース３２と傾動装置５０の斜視図である。また、図７〜図９は第２下顎部作動装置７０の構成図であり、図１０は右顎ベース７４と右顎ベース支持体７８の構成図であり、図１１は左顎ベース７５と左顎ベース支持体７９の構成図であり、図１２は第２下顎部作動装置７０の斜視図である。また、図１３は顔面部材３１の説明図であり、図１４は第１下顎部材６１の説明図であり、図１５は第２下顎部材７１の説明図であり、図１６はたてがみ部材１１１の説明図である。
【００１７】
遊技機１は、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による入力操作が可能な操作ボタン８と、を備える。
【００１８】
遊技盤３は、遊技領域の右下部に配置された図柄表示装置１１と、遊技領域の中央に配置され各種演出画像を表示する液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、複数の作動可能な演出部材（役物）を異なる組み合わせで作動させる作動演出を行う演出装置２０と、が設けられている。
【００１９】
遊技機１は、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行するパチンコ機として構成されている。また、遊技機１は、特別図柄の変動表示中に、液晶表示装置１２で演出図柄を変動表示させる図柄変動演出を行う。図柄変動演出では、演出図柄の変動表示を伴ってリーチ演出や予告演出、ボタン演出などが行われる。また、演出装置２０は、リーチ演出や予告演出、ボタン演出などが行われる際に作動演出を実行し、作動演出において作動する演出部材の組み合わせなどにより、大当りの可能性を遊技者に示唆する。
【００２０】
演出装置２０は、図２に示すように、液晶表示装置１２の左右両側に配置される一対のサイドフレーム２２と、液晶表示装置１２の下方に配置される下部フレーム２４とを備える。本実施形態の演出装置２０は、複数の演出部材の組み合わせにより動物などのキャラクタの顔を形成可能である。演出装置２０のサイドフレーム２２には、顔面部材３１（図１３参照）を作動させる顔面部作動装置３０と、第１下顎部材６１（図１４参照）を作動させる第１下顎部作動装置６０と、たてがみ部材１１１（図１６参照）を作動させるたてがみ部作動装置１１０とが設けられている。また、演出装置２０の下部フレーム２４には、第２下顎部材７１（図１５参照）を作動させる第２下顎部作動装置７０が設けられている。なお、図１〜図１２では、キャラクタの顔を構成する各部材３１，６１，７１，１１１の図示を省略する。また、一部の図面（図２（ａ），図３（ａ），図４（ａ），図５など）に上下方向、左右方向、（前後方向）を図示しているが、顔の構成部材は顔の向きを基準として左右方向を定めている。このため、図示する左右方向と、第２下顎部作動装置７０の左右方向（右顎部材７２と左顎部材７３）やたてがみ部作動装置１１０の左右方向（右たてがみ部材１１２と左たてがみ部材１１３）とは逆方向となっている。
【００２１】
顔面部作動装置３０は、図２〜図６に示すように、顔面部材３１が取り付けられる顔面ベース３２と、顔面ベース３２を初期位置（待機位置）と演出位置（作動位置）とに上下に移動（昇降）させる昇降装置４０と、顔面ベース３２を前後に傾動させる傾動装置５０とを備える。顔面ベース３２は、複数のＬＥＤチップ３３ａが設けられたＬＥＤ基板３３が取り付けられている。ＬＥＤ基板３３のＬＥＤチップ３３ａは、第１発光パターンと第２発光パターンとを含む複数の発光パターンで発光可能であり、ＬＥＤチップ３３ａからの発光は顔面部材３１を介して遊技者側から視認可能となる。顔面部材３１や第１下顎部材６１，第２下顎部材７１は、光透過性を有する素材に着色や装飾などを施して形成されており、部分的に光透過性の高い模様Ｍ（図１３，図１５参照）が設けられている。このため、遊技者は顔面部材３１の模様Ｍを介して発光パターンの違いを視認し易いものとなる。複数の発光パターンは、発光色や発光部位（例えば目だけ、顔全体など）、発光間隔（点滅間隔）などのうち少なくともいずれかが異なるパターンなどとすることができる。なお、図２は顔面ベース３２（顔面部材３１）の初期位置を示し、図３，図４は顔面ベース３２の演出位置を示す。また、図２，図３，図５は顔面ベース３２が傾動していない様子を示し、図４，図６は顔面ベース３２が傾動している様子を示す。また、図２（ａ），図３（ａ），図４（ａ）は正面図であり、図２（ｂ），図３（ｂ），図４（ｂ）は側面図である。図５（ａ），図６（ａ）は前方からの斜視図であり、図５（ｂ），図６（ｂ）は後方からの斜視図である。
【００２２】
昇降装置４０は、顔面ベース３２の左右両側に、同様の構成の装置が左右対称に設けられている。昇降装置４０は、左右の各装置が、サイドフレーム２２に取り付けられる駆動モータ４１と、駆動モータ４１の駆動により回動する回動アーム４２と、回動アーム４２にスライド可能に取り付けられ傾動装置５０を介して顔面ベース３２を支持する顔面ベース支持板４５とを備える。回動アーム４２には、アーム長手方向に沿ってガイド孔４２ａが形成されており、顔面ベース支持板４５には、ガイド孔４２ａに係合される係合ピン４６が上部に設けられている。昇降装置４０は、左右の各装置が、顔面ベース支持板４５の下部に固定されるスライダ４７と、サイドフレーム２２に上下方向に沿って取り付けられスライダ４７がスライド可能な２本のガイドバー４８，４９とを備える。昇降装置４０は、駆動モータ４１の駆動により回動アーム４２が回動すると、係合ピン４６がガイド孔４２ａ内を移動しながら顔面ベース支持板４５が上下に移動する。また、顔面ベース支持板４５の移動に伴って、スライダ４７がガイドバー４８，４９に沿って上下にスライドする。これにより、昇降装置４０は、顔面ベース３２（顔面部材３１）を昇降させる。
【００２３】
傾動装置５０は、駆動モータ５１を含む主要な構成要素が図２〜図４中の右側の顔面ベース支持板４５に取り付けられており、駆動モータ５１の他に、図５に示すように、駆動モータ５１の駆動軸に接続されるカム部材５２と、カム部材５２の回動により作動するガイド部材５３と、ガイド部材５３に連動する回動アーム５５とを備える。ガイド部材５３は、下部に第１係合孔５３ａが形成され、上部に第２係合孔５３ｂが形成されている。カム部材５２は、ガイド部材５３の第１係合孔５３ａに係合する係合ピン５２ａが、駆動モータ５１の駆動軸との接続側とは反対側の裏面に偏心して設けられている。このため、ガイド部材５３は、カム部材５２の回動により上下に移動する。顔面ベース３２は、左右の側壁面に傾動軸３４が設けられており、回動アーム５５は、顔面ベース３２の右側壁面の傾動軸３４に回動可能に取り付けられる大径部５５ａが一端側に設けられ、ガイド部材５３の第２係合孔５３ｂに係合する小径部５５ｂが他端側に設けられている。また、回動アーム５５は、大径部５５ａ側に、アーム長手方向に対し所定角度をもって顔面ベース３２に固定される固定板５５ｃが設けられている。顔面ベース３２の傾動軸３４は、回動アーム５５の大径部５５ａから突出し一回り小さな小径部３４ａを有しており、ガイド部材５３は、小径部３４ａの後方への移動を規制して上下方向への移動をガイドするガイド面５４が設けられている。なお、顔面ベース３２の左側壁面の傾動軸３４は、図２〜図４中の左側の顔面ベース支持板４５に設けられる支持部５６に回動可能に支持される。
【００２４】
傾動装置５０は、駆動モータ５１の回転位置が初期位置とされているときには、顔面ベース３２が傾くことなく遊技盤３の盤面（液晶表示装置１２の表示面）に沿った方向となるよう回動アーム５５の固定板５５ｃの所定角度が定められている。また、傾動装置５０は、駆動モータ５１の駆動によりカム部材５２が回動すると、ガイド部材５３が下方に移動して、ガイド部材５３の第２係合孔５３ｂに係合する回動アーム５５の小径部５５ｂが下方に移動する。ガイド部材５３は、ガイド面５４で傾動軸３４の小径部３４ａをガイドし、回動アーム５５は、傾動軸３４に大径部５５ａが取り付けられているから、小径部５５ｂが下方に移動すると大径部５５ａが上方に移動するように回動アーム５５が回動して、回動アーム５５の固定板５５ｃに固定された顔面ベース３２が傾動する。これにより、傾動装置５０は、顔面ベース３２（顔面部材３１）を傾動させる。なお、図１３（ａ）は傾動していない状態の顔面部材３１を示し、図１３（ｂ）は傾動している状態の顔面部材３１を示す。図示するように、顔面部材３１の傾動によって正面視における上下方向の顔面長さＬが短くなる。また、傾動によって顔面部材３１の奥行きが増し、凹凸状の模様ｍなどが際立つため、遊技者が立体感をより感じるものとなる。
【００２５】
第１下顎部作動装置６０は、図３，図４に示すように、第１下顎部材６１が取り付けられる第１下顎ベース６２と、第１下顎ベース６２を初期位置と演出位置とに上下に移動（昇降）させる昇降装置６５とを備える。第１下顎ベース６２は、複数のＬＥＤチップ６４ａが設けられたＬＥＤ基板６４が取り付けられている。このＬＥＤ基板６４のＬＥＤチップ６４ａからの発光は第１下顎部材６１を介して遊技者側から視認可能となる。ＬＥＤ基板６４は、顔面ベース３２のＬＥＤ基板３３の第１発光パターンと同様な発光パターン（発光色など）で発光可能である。また、図４は第１下顎ベース６２（第１下顎部材６１）の初期位置を示し、図３は第１下顎ベース６２の演出位置を示す。なお、図２では、第１下顎ベース６２は初期位置にあるが、顔面ベース３２の裏側に隠れて遊技者側から視認不能となる。
【００２６】
第１下顎ベース６２は、左右のサイドフレーム２２の一方から他方まで延びる長尺の第１下顎ベース支持板６３が裏面に取り付けられている。昇降装置６５は、ベルト機構を用いて第１下顎ベース６２（第１下顎ベース支持板６３）を昇降させるものであり、左右のサイドフレーム２２に同じ構成の装置が設けられる。昇降装置６５は、左右の各装置が、サイドフレーム２２に取り付けられる駆動モータ６６と、駆動モータ６６の駆動により回転駆動する駆動プーリ６７と、駆動プーリ６７と図示しない従動プーリとに架け渡され第１下顎ベース支持板６３の左右のいずれかの端部に接続されるベルト６８とを備える。昇降装置６５は、駆動モータ６６の駆動によりベルト６８を周回させることにより、第１下顎ベース支持板６３を昇降させる。これにより、昇降装置６５は、第１下顎ベース６２（第１下顎部材６１）を昇降させる。
【００２７】
第２下顎部作動装置７０は、図２，図７〜図１２に示すように、左右一対の第２下顎部材７１のうち右顎部材７２が取り付けられる右顎ベース７４および左顎部材７３が取り付けられる左顎ベース７５と、右顎ベース７４を支持する右顎ベース支持体７８および左顎ベース７５を支持する左顎ベース支持体７９と、右顎ベース支持体７８（右顎ベース７４）および左顎ベース支持体７９（左顎ベース７５）を開閉を伴って初期位置と演出位置とに上下に移動（昇降）させる開閉昇降装置８０と、右顎ベース７４および左顎ベース７５を一体的に右顎ベース支持体７８および左顎ベース支持体７９に対して前後に傾動させる傾動装置９０とを備える。右顎ベース７４および左顎ベース７５は、図２に示すように、それぞれ、複数のＬＥＤチップ７７ａが設けられたＬＥＤ基板７７が取り付けられている。このＬＥＤ基板７７のＬＥＤチップ７７ａからの発光は右顎部材７２および左顎部材７３を介して遊技者側から視認可能となる。ＬＥＤ基板７７は、顔面ベース３２のＬＥＤ基板３３の第２発光パターンと同様な発光パターン（発光色など）で発光可能である。傾動装置９０は、右顎ベース７４（右顎部材７２）を傾動させる右顎傾動部９０ａと左顎ベース７５（左顎部材７３）を傾動させる左顎傾動部９０ｂとを備える。なお、図７は右顎ベース支持体７８および左顎ベース支持体７９の初期位置を示し、図９は右顎ベース支持体７８および左顎ベース支持体７９の演出位置を示し、図８は初期位置と演出位置の間の位置を示す。また、図７（ａ），図８（ａ），図９（ａ）は第２下顎部作動装置７０の正面図であり、図７（ｂ），図８（ｂ），図９（ｂ）は第２下顎部作動装置７０の裏面図であり、図７（ｃ），図９（ｃ）は下部フレーム２４の図示を省略した第２下顎部作動装置７０の裏面図である。図１２は右顎部材７２および左顎部材７３が一体化して第２下顎部材７１を形成するときの右顎ベース支持体７８（右顎ベース７４）および左顎ベース支持体７９（左顎ベース７５）の斜視図である。
【００２８】
開閉昇降装置８０は、図２，図７〜図９に示すように、下部フレーム２４に取り付けられる駆動モータ８１と、駆動モータ８１の駆動ギヤ８１ａに噛合する従動ギヤ８２と、下部フレーム２４に設けられた回動軸２６回りに回動する回動アーム８３と、下部フレーム２４に設けられたスライドレール２８に沿って上下に移動可能なスライドベース８６とを備える。回動アーム８３には、略中央部分にアーム長手方向に沿ってガイド孔８３ａが形成されており、従動ギヤ８２には、ガイド孔８３ａに係合される係合ピン８２ａが回動軸に対して偏心した位置に設けられている。また、下部フレーム２４には、回動軸２６を円弧中心とするガイド孔２４ｄが設けられており、回動アーム８３には、ガイド孔２４ｄに係合される係合ピン８３ｂが長手方向の略中央に設けられている。このため、駆動モータ８１の駆動により駆動ギヤ８１ａに噛合する従動ギヤ８２が回転（回動）すると、従動ギヤ８２の係合ピン８２ａが周方向に移動し、ガイド孔８３ａを介して係合ピン８２ａが係合された回動アーム８３は、その係合ピン８２ａがガイド孔８３ａに沿って移動しながら回動軸２６回りに回動する。また、回動アーム８３は、アーム長手方向の先端に連結孔８３ｃが形成されており、スライドベース８６には、連結孔８３ｃに遊びをもって連結される連結ピン８６ｃが設けられている。このため、回動アーム８３の回動により、連結ピン８６ｃと連結孔８３ｃとの連結を介してスライドベース８６が上下に移動する。このように、開閉昇降装置８０は、駆動モータ８１の駆動により回動アーム８３を回動させてスライドベース８６を初期位置と演出位置とに移動（昇降）させることができる。また、開閉昇降装置８０は、サポートスプリング８９を備える。サポートスプリング８９は、伸長された状態で、遊技機１の図示しないフレームに設けられた取付ピン８９ａに一端が取り付けられると共に他端が係合ピン８３ｂに取り付けられている。このため、サポートスプリング８９は、回動アーム８３が上方に回動する方向に付勢された状態で取り付けられるから、回動アーム８３（スライドベース８６）の上方への移動をサポートするものとなる。
【００２９】
スライドベース８６は、スライドレール２８にスライド可能な中央部を挟んだ左右の領域に左右方向に延びる一対のガイド孔８６ａ，８６ｂが形成されている。下部フレーム２４には、スライドレール２８を挟んだ左右の領域に一対のガイド孔２４ａ，２４ｂが形成されている。ガイド孔２４ａ，２４ｂは、下方から上方に向かうにつれて両者の間隔が狭くなるように上下方向に斜めに延びている。右顎ベース支持体７８には、裏面から突出してスライドベース８６のガイド孔８６ａと下部フレーム２４のガイド孔２４ａとに係合する係合ピン７８ａが設けられている。また、左顎ベース支持体７９には、裏面から突出してスライドベース８６のガイド孔８６ｂと下部フレーム２４のガイド孔２４ｂとに係合する係合ピン７９ａが設けられている。このため、回動アーム８３の回動によりスライドベース８６が初期位置から演出位置まで上方に移動するにつれて、ガイド孔８６ａとガイド孔２４ａとに係合する係合ピン７８ａと、ガイド孔８６ｂとガイド孔２４ｂとに係合する係合ピン７９ａとが互いに近付くことになる。右顎ベース支持体７８は、スライドベース８６に設けられた回動軸８６ｄ（図１２（ｂ）参照）が挿入される軸孔７８ｂ（図１０（ｃ）参照）が形成されており、回動軸８６ｄ回りに回動可能である。左顎ベース支持体７９は、スライドベース８６に中央部を挟んで回動軸８６ｄと左右対称の位置に設けられた回動軸８６ｅ（図７（ｃ），図９（ｃ），図１２（ｂ）参照）が挿入される軸孔７９ｂ（図１１（ｃ）参照）が形成されており、回動軸８６ｅ回りに回動可能である。したがって、右顎ベース支持体７８および左顎ベース支持体７９は、スライドベース８６が上方に移動して係合ピン７８ａと係合ピン７９ａとが互いに近付くと、右顎ベース７４および左顎ベース７５（右顎部材７２および左顎部材７３）が閉じる方向に回動することになる。また、右顎ベース支持体７８および左顎ベース支持体７９は、スライドベース８６が下方に移動して係合ピン７８ａと係合ピン７９ａとが互いに遠ざかると、右顎ベース７４および左顎ベース７５が開く方向に回動することになる。
【００３０】
また、スライドベース８６には、回動アーム８３側とは反対側の側面に被検知片８７が設けられている。開閉昇降装置８０は、スライドベース８６が初期位置（下端位置）にあるときに被検知片８７を検知する検知センサ８８ａと、スライドベース８６が作動位置（上端位置）にあるときに被検知片８７を検知する検知センサ８８ｂとを備えており、スライドベース８６（第２下顎部材７１）の上下位置を検知可能である。また、下部フレーム２４には、上下方向に直線状に延びるガイド孔２４ｃが形成されており、被検知片８７には、ガイド孔２４ｃに係合する係合ピン８７ａが設けられている。このため、スライドベース８６は、係合ピン８７ａとガイド孔２４ｃとによってもガイドされながら昇降する。
【００３１】
傾動装置９０の右顎傾動部９０ａは、図７〜図１０に示すように、右顎ベース支持体７８に固定され右顎ベース７４の裏面に沿って上方に延びる固定プレート９１と、固定プレート９１の上端に設けられ固定プレート９１に対して右顎ベース７４を回動可能に支持する回動軸９２と、両端が固定プレート９１と右顎ベース７４とに取り付けられ伸縮可能なコイルスプリング９３とを備える。このため、右顎傾動部９０ａは、非作動時にはコイルスプリング９３の収縮により右顎ベース７４の裏面が固定プレート９１に当接する位置、即ち回動（傾動）方向における初期位置側の回動端で保持され、作動（傾動）時にはコイルスプリング９３の収縮力に抗して回動軸９２回りに回動可能である。また、右顎傾動部９０ａは、右顎ベース７４に連結され回動軸９２を円弧中心とするガイド孔９４ａが設けられたガイド部材９４と、右顎ベース支持体７８に設けられガイド孔９４ａに係合する係合ピン９５とを備える。このため、右顎ベース７４は、係合ピン９５がガイド孔９４ａをスライドしながら回動軸９２回りに回動可能である。なお、回動軸９２は、右顎部材７２および左顎部材７３が一体化して第２下顎部材７１を形成するときに軸方向が左右方向となるように設けられている。
【００３２】
傾動装置９０の左顎傾動部９０ｂは、図７〜図９，図１１，図１２に示すように、左顎ベース支持体７９に固定され左顎ベース７５の裏面に沿って上方に延びる固定プレート１０１と、固定プレート１０１の上端に設けられ左顎ベース７５を回動可能に支持する回動軸１０２と、両端が固定プレート１０１と左顎ベース７５とに取り付けられ伸縮可能なコイルスプリング１０３と、傾動駆動力を発生する傾動駆動部１０４とを備える。傾動駆動部１０４は、左顎ベース支持体７９に内蔵される駆動モータ１０５と、駆動モータ１０５の駆動ギヤ１０５ａに噛合する従動ギヤ１０６ａが一端側に設けられた駆動アーム１０６と、一端側が駆動アーム１０６の他端側に軸支されると共に他端側が左顎ベース７５の裏面の下部に接続された従動アーム１０７とを備える。傾動駆動部１０４は、駆動モータ１０５の回転位置が初期位置にある初期状態では駆動アーム１０６と従動アーム１０７とが折り畳まれるようにして、左顎ベース７５を初期位置に位置させる。このとき、左顎ベース７５は、コイルスプリング１０３の収縮によって裏面が固定プレート１０１に当接する位置、即ち回動（傾動）方向における初期位置側の回動端で保持される。傾動駆動部１０４は、駆動モータ１０５の正回転駆動により、駆動アーム１０６と従動アーム１０７とを伸長させて、左顎ベース７５の下部をコイルスプリング１０３の収縮力に抗して前方に押し出すことで、左顎ベース７５を回動軸１０２回りに回動（傾動）させる。なお、回動軸１０２は、右顎部材７２および左顎部材７３が一体化して第２下顎部材７１を形成するときに軸方向が左右方向となるように設けられている。また、駆動傾動部１０４は、駆動モータ１０５の逆回転駆動により、駆動アーム１０６と従動アーム１０７とを折り畳んで初期状態に戻すことで、左顎ベース７５を初期位置に位置させる。なお、左顎ベース７５の裏面には被検知片７５ａが設けられ、固定プレート１０１には左顎ベース７５の初期位置で被検知片７５ａを検知する検知センサ１０１ａが設けられており、左顎ベース７５が初期位置にあることを検知可能である。
【００３３】
また、右顎ベース７４は、第２下顎部材７１の閉状態で左顎ベース７５との対向部分に、図１０に示すように、左顎ベース７５とは反対側に窪んだ凹部９７と、凹部９７の窪みの後方に配置された受け板９８と、凹部９７の底に配置された鉄片９９とが設けられている。一方、左顎ベース７５は、図１１に示すように、右顎ベース７４の凹部９７に嵌合する凸部１０８と、凸部１０８内に配置される磁石１０９とが設けられている。このため、右顎ベース７４と左顎ベース７５とは、開閉昇降装置８０の作動により近接すると、凹部９７と凸部１０８との嵌合および鉄片９９と磁石１０９との磁気吸着により連結されることになる。右顎ベース７４と左顎ベース７５とは、非作動時にはコイルスプリング９３，１０３の収縮により裏面が固定プレート９１，１０１に当接する位置で保持されてガタツキを抑えるから、凹部９７と凸部１０８とが位置ずれすることなくスムーズに嵌合することができる。また、図１２（ｂ）に示すように、右顎傾動部９０ａの回動軸９２および左顎傾動部９０ｂの回動軸１０２は、右顎ベース７４と左顎ベース７５とが連結した状態で一直線上となる位置に設けられており、右顎ベース７４と左顎ベース７５（右顎部材７２および左顎部材７３）の傾動の基準となる仮想軸ＩＡを形成する。右顎ベース７４と左顎ベース７５とは、鉄片９９と磁石１０９との吸着により強固に連結されるから、傾動駆動部１０４の駆動モータ１０５の正回転駆動により仮想軸ＩＡ回りに一体的に前方に回動する。また、右顎ベース７４の受け板９８は、駆動モータ１０５の逆回転駆動により初期位置に戻る左顎ベース７５の凸部１０８を受けるから、右顎ベース７４と左顎ベース７５とは、鉄片９９と磁石１０９との磁気吸着と相まって、ずれることなく仮想軸ＩＡ回りに一体的に後方に回動する。
【００３４】
たてがみ部作動装置１１０は、図２に示すように、たてがみ部材１１１が有する一対の右たてがみ部材１１２および左たてがみ部材１１３（図１６参照）をそれぞれ作動させる同様の構成の装置が左右のサイドフレーム２２に設けられる。たてがみ部作動装置１１０は、左右の各装置が、サイドフレーム２２に取り付けられる駆動モータ１１４と、駆動モータ１１４の駆動により回動し各たてがみ部材１１２，１１３が取り付けられる長短２本の第１回動アーム１１５および第２回動アーム１１６とを備える。たてがみ部作動装置１１０は、駆動モータ１１４の駆動により、第１回動アーム１１５および第２回動アーム１１６がサイドフレーム２２の内側に回動することで（図２中点線参照）、各たてがみ部材１１２，１１３を初期位置から演出位置へ移動させる。なお、各たてがみ部材１１２，１１３の背後にはＬＥＤ基板は設けられていないが、各たてがみ部材１１２，１１３の表面に、顔面ベース３２のＬＥＤ基板３３の第２発光パターンの発光色と同様な発色の装飾が施されている。勿論、たてがみ部材１１２，１１３の背後にＬＥＤ基板を設けてもよい。
【００３５】
次に、こうして構成された演出装置２０の動作について説明する。図１７〜図１９は演出装置２０の動作の様子を示す説明図である。図１７では、図２の状態から顔面部作動装置３０（昇降装置４０）が駆動して顔面部材３１が演出位置に移動すると共に第１下顎部作動装置６０が駆動して第１下顎部材６１が演出位置に移動した様子を示しており、図３と同じ位置状態である。図示するように、顔面部材３１と第１下顎部材６１とにより第１キャラクタ（例えば狼）の顔を形成する。この図１７の状態では、顔面部作動装置３０のＬＥＤ基板３３が第１発光パターンで発光し、第１下顎部材６１のＬＥＤ基板６４が第１発光パターンと同様の発光パターンで発光するものとする。なお、第１キャラクタは、形成中に顔面部材３１と第１下顎部材６１とが作動しない静的なキャラクタである。また、図１８は、図１７の状態から第１下顎部作動装置６０が駆動して第１下顎部材６１が初期位置に戻った様子を示す。
【００３６】
そして、図１９は、図１８の状態から、顔面部作動装置３０（傾動装置５０）が駆動して上部が奥側になると共に下部が手前側になるように顔面部材３１が傾いた状態となり、第２下顎部作動装置７０（開閉昇降装置８０）が駆動して第２下顎部材７１（右顎部材７２と左顎部材７３）が演出位置に移動し、たてがみ部作動装置１１０が駆動してたてがみ部材１１１（右たてがみ部材１１２と左たてがみ部材１１３）が演出位置に移動した様子を示す。図示するように、顔面部材３１と第２下顎部材７１とたてがみ部材１１１とにより、第１キャラクタとは異なる第２キャラクタ（例えば虎）の顔を形成する。この図１９の状態では、顔面部作動装置３０のＬＥＤ基板３３が第２発光パターンで発光し、第２下顎部作動装置７０のＬＥＤ基板７７が第２発光パターンと同様の発光パターンで発光するものとする。また、顔面部材３１が傾いた状態となって顔面部材３１の奥行きが増すと共に、顔面部材３１の下部が手前側となり第２下顎部材７１の上部が奥側となって遠近感が生まれることで、第２キャラクタの顔の立体感が強まることになる。このように、第１キャラクタと第２キャラクタとで、顔の立体感が異なるから、キャラクタの違いを際立たせることができる、また、第１キャラクタと第２キャラクタとで、発光パターンが異なるから、キャラクタの違いをさらに際立たせることができる。なお、各部材の背後に位置する液晶表示装置１２による画像表示と組み合わせて第１キャラクタや第２キャラクタの演出を行うものとし、第１キャラクタと第２キャラクタとで異なる画像を表示するものなどとしてもよい。また、図示は省略するが、図１９の状態で第２下顎部作動装置７０（傾動装置９０）が駆動して第２下顎部材７１の下部を手前側と奥側とに繰り返し移動するように作動（傾動）させることにより第２キャラクタが口を開閉する動作を示したり、たてがみ部作動装置１１０が駆動してたてがみ部材１１１を内側と外側とに繰り返し移動するように作動させることにより第２キャラクタのたてがみが揺れている様子を示したりすることができる。即ち、第２キャラクタを動的なキャラクタとするから、静的な第１キャラクタとの違いが一層際立つものとなる。このように、演出装置２０は、顔面部材３１と、第１下顎部材６１とにより形成する第１キャラクタと、顔面部材３１と、第１下顎部材６１に代えて第２下顎部材７１と、たてがみ部材１１１とにより形成する第２キャラクタとに変化するから、演出効果が高まるものとなる。また、第１キャラクタから第２キャラクタに変化するか否かや第２キャラクタが作動するか否かによって大当りの可能性などを示唆するものとすれば、演出態様に遊技者の注目を集めて、遊技興趣を向上させることができる。
【００３７】
以上説明した本実施形態の演出装置２０は、回動軸９２回りに回動可能な右顎部材７２（右顎ベース７４）が設けられた右顎ベース支持体７８と、回動軸１０２回りに回動可能な左顎部材７３（左顎ベース７５）が設けられた左顎ベース支持体７９とを備える。そして、開閉昇降装置８０の駆動により右顎ベース支持体７８と左顎ベース支持体７９とが演出位置（作動位置）とされるときに、回動軸９２と回動軸１０２とが一つの直線上に位置することで仮想軸ＩＡを構成し、傾動装置９０の駆動により右顎部材７２（右顎ベース７４）と左顎部材７３（左顎ベース７５）とが仮想軸ＩＡ回りに回動する。これにより、右顎ベース支持体７８と左顎ベース支持体７９とを演出位置としたときに、右顎部材７２（右顎ベース７４）と左顎部材７３（左顎ベース７５）とを一の仮想軸ＩＡ回りに回動させることができるから、複数の部材の新たな作動態様を可能として演出効果を高めることができる。
【００３８】
また、演出装置２０は、右顎部材７２（右顎ベース７４）に凹部９７と鉄片９９とが設けられると共に左顎部材７３（左顎ベース７５）に凸部１０８と磁石１０９とが設けられ、開閉昇降装置８０の駆動により右顎ベース支持体７８と左顎ベース支持体７９とが演出位置（作動位置）とされると、凹部９７と凸部１０８とが嵌合すると共に鉄片９９と磁石１０９とが磁気吸着する。これにより、右顎部材７２（右顎ベース７４）と左顎部材７３（左顎ベース７５）とが、簡易な構成で仮想軸ＩＡ回りに一体的に回動可能となる。
【００３９】
また、演出装置２０は、傾動装置９０の駆動源としての傾動駆動部１０４が左顎ベース支持体７９のみに設けられるから、簡易な構成で右顎部材７２（右顎ベース７４）と左顎部材７３（左顎ベース７５）とを一体的に回動させることができる。
【００４０】
また、演出装置２０は、右顎部材７２（右顎ベース７４）を回動（傾動）方向における初期位置側の回動端に付勢するコイルスプリング９３と、左顎部材７３（左顎ベース７５）を回動（傾動）方向における初期位置側の回動端に付勢するコイルスプリング１０３とを備えるから、右顎部材７２（右顎ベース７４）と左顎部材７３（左顎ベース７５）とが正対している状態で凹部９７と凸部１０８とを確実に嵌合させると共に鉄片９９と磁石１０９とを確実に磁気吸着させることができる。
【００４１】
また、演出装置２０は、右顎部材７２（右顎ベース７４）と左顎部材７３（左顎ベース７５）とにより一つの意匠（第２下顎部材７１）が構成される。このため、右顎部材７２（右顎ベース７４）と左顎部材７３（左顎ベース７５）とが一体的に回動することによる演出効果をより高めることができる。
【００４２】
本実施形態では、第１演出部材である右顎部材７２（右顎ベース７４）と第２演出部材である左顎部材７３（左顎ベース７５）とにより一つの意匠である第２下顎部材７１を構成したが、これに限られず、第１演出部材と第２演出部材とにより別々の意匠を構成してもよい。
【００４３】
本実施形態では、右顎部材７２（右顎ベース７４）を回動（傾動）方向における初期位置側の回動端に付勢するコイルスプリング９３と、左顎部材７３（左顎ベース７５）を回動（傾動）方向における初期位置側の回動端に付勢するコイルスプリング１０３とを備えるものとしたが、これに限られず、回動（傾動）方向における作動位置側の回動端に付勢するコイルスプリングを備えるものとしてもよいし、コイルスプリング９３とコイルスプリング１０３のうち一方または両方を備えないものとしてもよい。このようにしても、右顎部材７２（右顎ベース７４）と左顎部材７３（左顎ベース７５）とが回動方向の一方側の回動端にあれば、両者の位置に多少の誤差が生じていても、凹部９７と凸部１０８とを嵌合させたり鉄片９９と磁石１０９とを磁気吸着させたりすることは可能である。
【００４４】
本実施形態では、傾動装置９０の駆動源としての傾動駆動部１０４が左顎ベース支持体７９のみに設けられるものとしたが、これに限られず、右顎ベース支持体７８のみに設けられるものとしてもよいし、右顎ベース支持体７８と左顎ベース支持体７９とに設けられるものとしてもよい。
【００４５】
本実施形態では、右顎部材７２（右顎ベース７４）と左顎部材７３（左顎ベース７５）とが凹部９７と凸部１０８との嵌合および鉄片９９と磁石１０９との磁気吸着により係合（連結）することで一体的に回動するものとしたが、これに限られず、凹部９７と凸部１０８との嵌合または鉄片９９と磁石１０９との磁気吸着のいずれか一方により係合（連結）することで一体的に回動するものとしてもよい。あるいは、右顎部材７２（右顎ベース７４）と左顎部材７３（左顎ベース７５）とが係合（連結）するものに限られず、右顎部材７２（右顎ベース７４）と左顎部材７３（左顎ベース７５）とが仮想軸ＩＡ回りにそれぞれ回動可能なものとしてもよい。そのようにする場合、上述したように、傾動駆動部１０４が右顎ベース支持体７８と左顎ベース支持体７９とに設けられるものとして、各傾動駆動部１０４の駆動モータ１０５を同期して回転駆動させるものなどとすればよい。
【００４６】
本実施形態では、演出装置２０が、顔面部作動装置３０により作動する顔面部材３１と、第１下顎部作動装置６０により作動する第１下顎部６１と、第２下顎部作動装置７０により作動する第２下顎部７１と、たてがみ部作動装置１１０により作動するたてがみ部材１１１とを備えるものを例示したが、これに限られるものではない。例えば、演出装置２０が、第２下顎部作動装置７０により作動する第２下顎部７１のみを備えるものなどとしてもよい。
【００４７】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００４８】
本実施形態の主要な要素と課題を解決するための手段の欄に記載した発明の主要な要素との対応関係について説明する。本実施形態では、演出装置２０が「遊技機用演出装置」に相当し、回動軸９２が「第１回動軸」に相当し、右顎部材７２と右顎ベース７４とが「第１演出部材」に相当し、右顎ベース支持体７８が「第１可動部材」に相当し、回動軸１０２が「第２回動軸」に相当し、左顎部材７３と左顎ベース７５とが「第２演出部材」に相当し、左顎ベース支持体７９が「第２可動部材」に相当し、開閉昇降装置８０が「第１駆動手段」に相当し、傾動装置９０が「第２駆動手段」に相当する。凹部９７と鉄片９９とが「被係合部」に相当し、凸部１０８と磁石１０９とが「係合部」に相当する。左顎傾動部９０ｂの傾動駆動部１０４（駆動モータ１０５、駆動アーム１０６、従動アーム１０７）が「駆動源」に相当する。コイルスプリング９３が「第１付勢部材」に相当し、コイルスプリング１０３が「第２付勢部材」に相当する。第２下顎部材７１が「一の意匠」に相当する。
【００４９】
以上、本発明の実施の形態について説明したが、本発明はこうした実施形態に何等限定されるものではなく、本発明の要旨を逸脱しない範囲内において、種々なる形態で実施し得ることは勿論である。
【符号の説明】
【００５０】
１  遊技機、２  本体、３  遊技盤、４  スピーカ、５  上受け皿、６  下受け皿、７  発射ハンドル、８  操作ボタン、１１  図柄表示装置、１２  液晶表示装置、１３  第１始動口、１４  第２始動口、１５  大入賞口、１６  アウト口、２０  演出装置、２２  サイドフレーム、２４  下部フレーム、２４ａ，２４ｂ，２４ｃ，２４ｄ  ガイド孔、２６  回動軸、２８  スライドレール、３０  顔面部作動装置、３１  顔面部材、３２  顔面ベース、３３  ＬＥＤ基板、３３ａ  ＬＥＤチップ、３４  傾動軸、３４ａ  小径部、４０  昇降装置、４１  駆動モータ、４２  回動アーム、４２ａ  ガイド孔、４５  顔面ベース支持板、４６  係合ピン、４７  スライダ、４８，４９  ガイドバー、５０  傾動装置、５１  駆動モータ、５２  カム部材、５２ａ  係合ピン、５３  ガイド部材、５３ａ  第１係合孔、５３ｂ  第２係合孔、５４  ガイド面、５５  回動アーム、５５ａ  大径部、５５ｂ  小径部、５５ｃ  固定板、５６  支持部、６０  第１下顎部作動装置、６１  第１下顎部材、６２  第１下顎ベース、６３  第１下顎ベース支持板、６４  ＬＥＤ基板、６４ａ  ＬＥＤチップ、６５  昇降装置、６６  駆動モータ、６７  駆動プーリ、６８  ベルト、７０  第２下顎部作動装置、７１  第２下顎部材、７２  右顎部材、７３  左顎部材、７４  右顎ベース、７５  左顎ベース、７５ａ  被検知片、７７  ＬＥＤ基板、７７ａ  ＬＥＤチップ、７８  右顎ベース支持体、７８ａ，７９ａ  係合ピン、７８ｂ，７９ｂ  軸孔、７９  左顎ベース支持体、８０  開閉昇降装置、８１  駆動モータ、８１ａ  駆動ギヤ、８２  従動ギヤ、８２ａ  係合ピン、８３  回動アーム、８３ａ  ガイド孔、８３ｂ  係合ピン、８３ｃ  連結孔、８６  スライドベース、８６ａ，８６ｂ  ガイド孔、８６ｃ  連結ピン、８６ｄ，８６ｅ  回動軸、８７  被検知片、８７ａ  係合ピン、８８ａ，８８ｂ  検知センサ、８９  サポートスプリング、８９ａ  取付ピン、９０  傾動装置、９０ａ  右顎傾動部、９０ｂ  左顎傾動部、９１，１０１  固定プレート、９２，１０２  回動軸、９３，１０３  コイルスプリング、９４  ガイド部材、９４ａ  ガイド孔、９５  係合ピン、９７  凹部、９８  受け板、９９  鉄片、１０１ａ  検知センサ、１０４  傾動駆動部、１０５  駆動モータ、１０５ａ  駆動ギヤ、１０６  駆動アーム、１０６ａ  従動ギヤ、１０７  従動アーム、１０８  凸部、１０９  磁石、１１０  たてがみ部作動装置、１１１  たてがみ部材、１１２  右たてがみ部材、１１３  左たてがみ部材、１１４  駆動モータ、１１５  第１回動アーム、１１６  第２回動アーム、ＩＡ  仮想軸、Ｍ，ｍ  模様。
【図１】
2018110779.tif 000003
【図２】
2018110779.tif 000004
【図３】
2018110779.tif 000005
【図４】
2018110779.tif 000006
【図５】
2018110779.tif 000007
【図６】
2018110779.tif 000008
【図７】
2018110779.tif 000009
【図８】
2018110779.tif 000010
【図９】
2018110779.tif 000011
【図１０】
2018110779.tif 000012
【図１１】
2018110779.tif 000013
【図１２】
2018110779.tif 000014
【図１３】
2018110779.tif 000015
【図１４】
2018110779.tif 000016
【図１５】
2018110779.tif 000017
【図１６】
2018110779.tif 000018
【図１７】
2018110779.tif 000019
【図１８】
2018110779.tif 000020
【図１９】
2018110779.tif 000021